(57)【要約】【課題】仮想ルーム内に商品を仮想的に配置して商品を確認することができるようにする。【解決手段】ユーザ端末１０は、サーバ装置２０から仮想ルーム作成ソフトウェアをダウンロードし、この仮想ルーム作成ソフトウェアを用いて作成した仮想ルームを記憶するとともに、サーバ装置２０に送信し、登録する。ユーザ端末１０は、サーバ装置２０から商品の３Ｄパーツをダウンロードし、仮想ルーム内に仮想的に配置し、表示する。販売店端末３０は、サーバ装置２０から仮想ルームと商品の３Ｄパーツをダウンロードし、仮想ルーム内に３Ｄパーツを仮想的に配置して表示する。【選択図】      図１
2004178257.tif 000002
【特許請求の範囲】
【請求項１】
ネットワークを介して接続されたサーバと端末とからなり、前記サーバが提供する商品の立体画像表示データを端末がダウンロードして表示する商品確認支援システムであって、
前記サーバは、
前記商品を立体画像で表示するための立体画像表示データを記憶する第１の記憶手段と、
前記端末から前記ネットワークを介して送信されてきた仮想ルームを記憶する第２の記憶手段と、
前記仮想ルームを作成するためのソフトウェアを記憶する第３の記憶手段と、
前記端末からの要求に応じて、前記立体画像表示データ、および前記ソフトウェアを前記端末に前記ネットワークを介して提供する提供手段と
を備え、
前記端末は、
前記サーバからダウンロードした前記ソフトウェアによって作成された前記仮想ルームを前記ネットワークを介して前記サーバに送信する送信手段と、
前記サーバに対して前記商品の立体画像表示データの提供を要求する要求手段と、
前記サーバから前記ネットワークを介して提供された前記立体画像表示データに対応する前記商品を前記仮想ルーム内に仮想的に設置した画像を表示する表示手段と
を備えることを特徴とする商品確認支援システム。
【請求項２】
前記サーバは、前記ネットワークを介して接続された他の端末に対して前記仮想ルームを提供し、前記他の端末は、前記サーバから前記商品の立体画像表示データの提供を要求し、前記サーバから前記ネットワークを介して提供された前記立体画像表示データに対応する前記商品を前記仮想ルーム内に仮想的に設置した画像を表示する
ことを特徴とする請求項１に記載の商品確認支援システム。
【請求項３】
サーバが保持する商品の立体画像表示データを端末がネットワークを介してダウンロードして表示する商品確認支援方法であって、
前記サーバは、
前記商品を立体画像で表示するための立体画像表示データを記憶する第１の記憶ステップと、
前記端末から前記ネットワークを介して送信されてきた仮想ルームを記憶する第２の記憶ステップと、
前記仮想ルームを作成するためのソフトウェアを記憶する第３の記憶ステップと、
前記端末からの要求に応じて、前記立体画像表示データ、および前記ソフトウェアを前記端末に前記ネットワークを介して提供する提供ステップと
を備え、
前記端末は、
前記サーバからダウンロードした前記ソフトウェアによって作成された前記仮想ルームを前記ネットワークを介して前記サーバに送信する送信ステップと、
前記サーバに対して前記商品の立体画像表示データの提供を要求する要求ステップと、
前記サーバから前記ネットワークを介して提供された前記立体画像表示データに対応する前記商品を前記仮想ルーム内に仮想的に設置した画像を表示する表示ステップと
を備えることを特徴とする商品確認支援方法。
【請求項４】
サーバが保持する商品の立体画像表示データを端末がネットワークを介してダウンロードして表示する商品確認支援システムを制御する商品確認支援プログラムであって、
前記サーバに、
前記商品を立体画像で表示するための立体画像表示データを記憶する第１の記憶ステップと、
前記端末から前記ネットワークを介して送信されてきた仮想ルームを記憶する第２の記憶ステップと、
前記仮想ルームを作成するためのソフトウェアを記憶する第３の記憶ステップと、
前記端末からの要求に応じて、前記立体画像表示データ、および前記ソフトウェアを前記端末に前記ネットワークを介して提供する提供ステップと
を実行させ、
前記端末に、
前記サーバからダウンロードした前記ソフトウェアによって作成された前記仮想ルームを前記ネットワークを介して前記サーバに送信する送信ステップと、
前記サーバに対して前記商品の立体画像表示データの提供を要求する要求ステップと、
前記サーバから前記ネットワークを介して提供された前記立体画像表示データに対応する前記商品を前記仮想ルーム内に仮想的に設置した画像を表示する表示ステップと
を実行させることを特徴とする商品確認支援プログラム。
【請求項５】
ネットワークを介して接続されたサーバと端末とからなり、前記サーバが提供する商品の立体画像表示データを端末がダウンロードして表示する商品確認支援システムであって、
前記サーバは、
前記商品を立体画像で表示するための立体画像表示データを記憶する第１の記憶手段と、
前記端末から前記ネットワークを介して送信されてきた仮想ルームを記憶する第２の記憶手段と、
前記仮想ルームを作成するためのソフトウェアを記憶する第３の記憶手段と、
前記端末から送信されてきた条件に該当する商品候補を検索する検索手段と、
前記商品候補の中から前記仮想ルームに適合するものを選別する選別手段と、
前記選別手段によって選別された前記商品の識別情報を前記端末に前記ネットワークを介して送信する第１の送信手段と、
前記端末からの要求に応じて、前記立体画像表示データ、および前記ソフトウェアを前記端末に前記ネットワークを介して提供する提供手段と
を備え、
前記端末は、
前記サーバからダウンロードした前記ソフトウェアによって作成された前記仮想ルームを前記ネットワークを介して前記サーバに送信する第２の送信手段と、
前記サーバから送信されてきた前記識別情報に対応する前記商品の立体画像表示データの提供を前記サーバに要求する要求手段と、
前記サーバから前記ネットワークを介して提供された前記立体画像表示データに対応する前記商品を前記仮想ルーム内に仮想的に設置した画像を表示する表示手段と
を備えることを特徴とする商品確認支援システム。
【請求項６】
サーバが保持する商品の立体画像表示データを端末がネットワークを介してダウンロードして表示する商品確認支援方法であって、
前記サーバは、
前記商品を立体画像で表示するための立体画像表示データを記憶する第１の記憶ステップと、
前記端末から前記ネットワークを介して送信されてきた仮想ルームを記憶する第２の記憶ステップと、
前記仮想ルームを作成するためのソフトウェアを記憶する第３の記憶ステップと、
前記端末から送信されてきた条件に該当する商品候補を検索する検索ステップと、
前記商品候補の中から前記仮想ルームに適合するものを選別する選別ステップと、
前記選別ステップにおいて選別された前記商品の識別情報を前記端末に前記ネットワークを介して送信する第１の送信ステップと、
前記端末からの要求に応じて、前記立体画像表示データ、および前記ソフトウェアを前記端末に前記ネットワークを介して提供する提供ステップと
を備え、
前記端末は、
前記サーバからダウンロードした前記ソフトウェアによって作成された前記仮想ルームを前記ネットワークを介して前記サーバに送信する第２の送信ステップと、
前記サーバから送信されてきた前記識別情報に対応する前記商品の立体画像表示データの提供を前記サーバに要求する要求ステップと、
前記サーバから前記ネットワークを介して提供された前記立体画像表示データに対応する前記商品を前記仮想ルーム内に仮想的に設置した画像を表示する表示ステップと
を備えることを特徴とする商品確認支援方法。
【請求項７】
サーバが保持する商品の立体画像表示データを端末がネットワークを介してダウンロードして表示する商品確認支援システムを制御する商品確認支援プログラムであって、
前記サーバに、
前記商品を立体画像で表示するための立体画像表示データを記憶する第１の記憶ステップと、
前記端末から前記ネットワークを介して送信されてきた仮想ルームを記憶する第２の記憶ステップと、
前記仮想ルームを作成するためのソフトウェアを記憶する第３の記憶ステップと、
前記端末から送信されてきた条件に該当する商品候補を検索する検索ステップと、
前記商品候補の中から前記仮想ルームに適合するものを選別する選別ステップと、
前記選別ステップにおいて選別された前記商品の識別情報を前記端末に前記ネットワークを介して送信する第１の送信ステップと、
前記端末からの要求に応じて、前記立体画像表示データ、および前記ソフトウェアを前記端末に前記ネットワークを介して提供する提供ステップと
を実行させ、
前記端末に、
前記サーバからダウンロードした前記ソフトウェアによって作成された前記仮想ルームを前記ネットワークを介して前記サーバに送信する第２の送信ステップと、
前記サーバから送信されてきた前記識別情報に対応する前記商品の立体画像表示データの提供を前記サーバに要求する要求ステップと、
前記サーバから前記ネットワークを介して提供された前記立体画像表示データに対応する前記商品を前記仮想ルーム内に仮想的に設置した画像を表示する表示ステップと
を実行させることを特徴とする商品確認支援プログラム。
【発明の詳細な説明】
【０００１】
【発明の属する技術分野】
本発明は、商品確認支援システムに関し、特に、ネットワークを介して商品の立体画像をダウンロードして表示することにより、商品の確認ができる商品確認支援システムに関する。
【０００２】
【従来の技術】
従来、インターネットやカタログなどによる通信販売において、家具やインテリア用品などの商品を購入しようとするとき、その商品の概観や大きさなどを写真やサイズを見ることによってある程度予想し、自分の家にその商品が合うか否かを判断していた。
また、例えば、商品選定支援装置が、インターネットを通じてユーザが入力したイメージや使用環境条件の情報から意志決定支援システムよりプランを選定し、このプランに基づいて最も適した商品のユーザの使用状況での商品画像を画像出力装置で出力させるとともに、価格（イニシャルコスト、ランニングコスト）を割り出し、インターネットを通じて端末で起動しているブラウザによりその表示装置上に画像表示させ、ユーザは端末の表示装置の表示により商品画像及び価格を知ることができるようにし、望み通りの空間を実現する商品を簡単に選定できるようにしたものがある（例えば、特許文献１参照）。
また、例えば、購買者の所有物品または身体の３次元データを主とする個人データベースを購買者側のコンピュータに格納し、販売店の商品の３次元データを主とするカタログデータベースを販売者側のコンピュータに格納し、個人データベースから選択した特定の所有物品または身体の３次元データと、カタログデータベースから選択した購買対象の商品の３次元データとを仮想空間において比較し、選択した特定の所有物品または身体と購買対象の商品との適合性又は整合性や調和性の良否を判断するようにしたものがある（例えば、特許文献２参照）。
【０００３】
【特許文献１】
特開２００１−３０６８９３号公報（図１）
【特許文献２】
特開平１０−１２４５７４号公報（図５）
【０００４】
【発明が解決しようとする課題】
インターネットやカタログなどによる通信販売において、家具やインテリア用品などの商品を購入しようとするとき、その商品の概観や大きさなどは写真やサイズを見ることによってある程度予想できる。しかし、実際に自分の家にその商品が合うのかということは、商品を購入してみないことにはわからないので、購入をためらってしまうことが多い。それは通信販売に限ったことではなく、直接販売店に行った場合でも、同じことがいえる。また、販売店において、自分の購入したい商品について店員に相談するときなどに、正確な自分の部屋のサイズや雰囲気まで伝えることは難しい。このため、自分の家に合う商品を購入することが難しいという課題があった。また、特許文献１の図１に示す装置の場合、ユーザ自身が設備空間のイメージを生成することができないため、実際の使用環境とはことなる場合があるという問題点があった。また、特許文献２の図５に示す装置の場合、購入者側の３次元データは購入者側のコンピュータに格納されるため、販売者側のコンピュータのみで購入者に合った商品を選択し、紹介することができないという問題点があった。
【０００５】
本発明はこのような状況に鑑みてなされたものであり、自宅や販売店等のネットワークに接続された端末上で仮想ルーム内に仮想的に商品を設置して表示することにより、商品が設置場所に合っているかどうかを容易に確認することができるようにするものである。
【０００６】
【課題を解決するための手段】
請求項１に記載の商品確認支援システムは、ネットワークを介して接続されたサーバと端末とからなり、サーバが提供する商品の立体画像表示データを端末がダウンロードして表示する商品確認支援システムであって、サーバは、商品を立体画像で表示するための立体画像表示データを記憶する第１の記憶手段と、端末からネットワークを介して送信されてきた仮想ルームを記憶する第２の記憶手段と、仮想ルームを作成するためのソフトウェアを記憶する第３の記憶手段と、端末からの要求に応じて、立体画像表示データ、およびソフトウェアを端末にネットワークを介して提供する提供手段とを備え、端末は、サーバからダウンロードしたソフトウェアによって作成された仮想ルームをネットワークを介してサーバに送信する送信手段と、サーバに対して商品の立体画像表示データの提供を要求する要求手段と、サーバからネットワークを介して提供された立体画像表示データに対応する商品を仮想ルーム内に仮想的に設置した画像を表示する表示手段とを備えることを特徴とする。
また、サーバは、ネットワークを介して接続された他の端末に対して仮想ルームを提供し、他の端末は、サーバから商品の立体画像表示データの提供を要求し、サーバからネットワークを介して提供された立体画像表示データに対応する商品を仮想ルーム内に仮想的に設置した画像を表示するようにすることができる。請求項３に記載の商品確認支援方法は、サーバが保持する商品の立体画像表示データを端末がネットワークを介してダウンロードして表示する商品確認支援方法であって、サーバは、商品を立体画像で表示するための立体画像表示データを記憶する第１の記憶ステップと、端末からネットワークを介して送信されてきた仮想ルームを記憶する第２の記憶ステップと、仮想ルームを作成するためのソフトウェアを記憶する第３の記憶ステップと、端末からの要求に応じて、立体画像表示データ、およびソフトウェアを端末にネットワークを介して提供する提供ステップとを備え、端末は、サーバからダウンロードしたソフトウェアによって作成された仮想ルームをネットワークを介してサーバに送信する送信ステップと、サーバに対して商品の立体画像表示データの提供を要求する要求ステップと、サーバからネットワークを介して提供された立体画像表示データに対応する商品を仮想ルーム内に仮想的に設置した画像を表示する表示ステップとを備えることを特徴とする。
請求項４に記載の商品確認支援プログラムは、サーバが保持する商品の立体画像表示データを端末がネットワークを介してダウンロードして表示する商品確認支援システムを制御する商品確認支援プログラムであって、サーバに、商品を立体画像で表示するための立体画像表示データを記憶する第１の記憶ステップと、端末からネットワークを介して送信されてきた仮想ルームを記憶する第２の記憶ステップと、仮想ルームを作成するためのソフトウェアを記憶する第３の記憶ステップと、端末からの要求に応じて、立体画像表示データ、およびソフトウェアを端末にネットワークを介して提供する提供ステップとを実行させ、端末に、サーバからダウンロードしたソフトウェアによって作成された仮想ルームをネットワークを介してサーバに送信する送信ステップと、サーバに対して商品の立体画像表示データの提供を要求する要求ステップと、サーバからネットワークを介して提供された立体画像表示データに対応する商品を仮想ルーム内に仮想的に設置した画像を表示する表示ステップとを実行させることを特徴とする。
請求項５に記載の商品確認支援システムは、ネットワークを介して接続されたサーバと端末とからなり、サーバが提供する商品の立体画像表示データを端末がダウンロードして表示する商品確認支援システムであって、サーバは、商品を立体画像で表示するための立体画像表示データを記憶する第１の記憶手段と、端末からネットワークを介して送信されてきた仮想ルームを記憶する第２の記憶手段と、仮想ルームを作成するためのソフトウェアを記憶する第３の記憶手段と、端末から送信されてきた条件に該当する商品候補を検索する検索手段と、商品候補の中から仮想ルームに適合するものを選別する選別手段と、選別手段によって選別された商品の識別情報を端末にネットワークを介して送信する第１の送信手段と、端末からの要求に応じて、立体画像表示データ、およびソフトウェアを端末にネットワークを介して提供する提供手段とを備え、端末は、サーバからダウンロードしたソフトウェアによって作成された仮想ルームをネットワークを介してサーバに送信する第２の送信手段と、サーバから送信されてきた識別情報に対応する商品の立体画像表示データの提供をサーバに要求する要求手段と、サーバからネットワークを介して提供された立体画像表示データに対応する商品を仮想ルーム内に仮想的に設置した画像を表示する表示手段とを備えることを特徴とする。
請求項６に記載の商品確認支援方法は、サーバが保持する商品の立体画像表示データを端末がネットワークを介してダウンロードして表示する商品確認支援方法であって、サーバは、商品を立体画像で表示するための立体画像表示データを記憶する第１の記憶ステップと、端末からネットワークを介して送信されてきた仮想ルームを記憶する第２の記憶ステップと、仮想ルームを作成するためのソフトウェアを記憶する第３の記憶ステップと、端末から送信されてきた条件に該当する商品候補を検索する検索ステップと、商品候補の中から仮想ルームに適合するものを選別する選別ステップと、選別ステップにおいて選別された商品の識別情報を端末にネットワークを介して送信する第１の送信ステップと、端末からの要求に応じて、立体画像表示データ、およびソフトウェアを端末にネットワークを介して提供する提供ステップとを備え、端末は、サーバからダウンロードしたソフトウェアによって作成された仮想ルームをネットワークを介してサーバに送信する第２の送信ステップと、サーバから送信されてきた識別情報に対応する商品の立体画像表示データの提供をサーバに要求する要求ステップと、サーバからネットワークを介して提供された立体画像表示データに対応する商品を仮想ルーム内に仮想的に設置した画像を表示する表示ステップとを備えることを特徴とする。
請求項７に記載の商品確認支援プログラムは、サーバが保持する商品の立体画像表示データを端末がネットワークを介してダウンロードして表示する商品確認支援システムを制御する商品確認支援プログラムであって、サーバに、商品を立体画像で表示するための立体画像表示データを記憶する第１の記憶ステップと、端末からネットワークを介して送信されてきた仮想ルームを記憶する第２の記憶ステップと、仮想ルームを作成するためのソフトウェアを記憶する第３の記憶ステップと、端末から送信されてきた条件に該当する商品候補を検索する検索ステップと、商品候補の中から仮想ルームに適合するものを選別する選別ステップと、選別ステップにおいて選別された商品の識別情報を端末にネットワークを介して送信する第１の送信ステップと、端末からの要求に応じて、立体画像表示データ、およびソフトウェアを端末にネットワークを介して提供する提供ステップとを実行させ、端末に、サーバからダウンロードしたソフトウェアによって作成された仮想ルームをネットワークを介してサーバに送信する第２の送信ステップと、サーバから送信されてきた識別情報に対応する商品の立体画像表示データの提供をサーバに要求する要求ステップと、サーバからネットワークを介して提供された立体画像表示データに対応する商品を仮想ルーム内に仮想的に設置した画像を表示する表示ステップとを実行させることを特徴とする。
【０００７】
【発明の実施の形態】
本発明は、インターネットやカタログなどを使った通信販売において、購入しようとする商品（例えば家具やインテリア用品など）が購入者の居住空間に合っているかどうかを購入者が確認できるサービス、また、お店に行った際に、購入しようとする商品が購入者の居住空間に合っているかどうかを確認できるサービスを提供するものである。
【０００８】
図１に示すように、購入者は販売者側のサーバ装置２０が提供する仮想ルーム作成ソフトウェア、または市販のソフトウェアによって、購入者の部屋やその他居住空間（トイレや玄関、庭など）を仮想的に再現した部屋（以下仮想ルームという）を作成し、ユーザ端末１０に保存する。インターネット上のホームページにおいて、購入したい商品が見つかった場合、購入したい商品の拡大・縮小および上下左右回転可能な立体画像（以下３Ｄパーツという）をホームページからダウンロードし、仮想ルームに設置することによって、商品が自分の居住空間に合っているかどうかを視覚的に確認する。購入者は、作成した仮想ルームを販売者側のサーバ装置２０に登録することができる。これにより、販売店へ買い物に行った際、購入したい商品が見つかった場合、お店に設置された販売店端末３０からサーバ装置２０にアクセスし、欲しい商品の３Ｄパーツを自分の仮想ルームに配置することにより、商品が自分の居住空間に合っているかどうかを確認することが可能となる。
【０００９】
図２は、本発明の商品概観および商品サイズ確認システムの第１の実施の形態の構成例示している。同図に示すように、第１の実施の形態は、ユーザ端末１０と、サーバ装置２０と、販売店端末３０と、これらを相互に接続するインターネット４０とから構成されている。
【００１０】
ユーザ端末１０は、パーソナルコンピュータ、携帯電話、ＰＤＡ（Ｐｅｒｓｏｎａｌ  Ｄｉｇｉｔａｌ  Ａｓｓｉｓｔａｎｔ：携帯型情報通信端末）、専用端末などのインターネット閲覧機能を有する端末装置である。また、ユーザ端末１０は、サーバ装置２０からインターネット４０を介して提供される仮想ルーム作成ソフトウェア、または市販のソフトウェアを使用して作成した仮想ルームを保管する機能を持つ。
【００１１】
サーバ装置２０は、購入者がユーザ端末１０で作成した仮想ルームを保管する機能、販売店の３Ｄパーツ化された商品データを保管する機能、ユーザ端末１０および販売店端末３０から要求された商品の３Ｄパーツを送信する機能を持つ。
【００１２】
販売店端末３０は、パーソナルコンピュータ、携帯電話、ＰＤＡ、専用端末などのインターネット閲覧機能を有する端末装置である。なお、仮想ルーム作成ソフトウェアはすでにインストールされているものとする。
【００１３】
次に、図２と、図３および図４のフローチャートを参照して、第１の実施の形態の全体の動作について詳細に説明する。まず、販売者側は、サーバ装置２０において、仮想ルーム作成ソフトウェアの３Ｄパーツ作成機能を用いて全商品あるいはいくつかの商品を３Ｄパーツ化しておく（図３のステップＳ１）。
【００１４】
購入者は、ユーザ端末１０を介して、販売者側がインターネット４０上に開設している製品販売を目的としたホームページにアクセスする（図３のステップＳ２）。次に、ホームページに表示されている仮想ルーム作成ソフトウェアのダウンロード画面に移り、インターネット４０を介して販売者側のサーバ装置２０に対してこの仮想ルーム作成ソフトウェアのダウンロード要求を出す（図３のステップＳ３）。この要求に応じて、サーバ装置２０は、仮想ルーム作成ソフトウェアをインターネット４０を介して購入者のユーザ端末１０に送信する（図３のステップＳ４）。そして、購入者は、ダウンロードした仮想ルーム作成ソフトウェアを用いて、仮想ルームを作成する（図３のステップＳ５）。
【００１５】
ここで、図３のステップＳ５において行われる仮想ルーム作成ソフトウェアを用いた仮想ルーム作成の手順について、図４のフローチャートを参照して詳細に説明する。まず、購入者は、ユーザ端末１０を操作して、仮想ルーム作成ソフトウェアが提供するサンプルの中から部屋の形状を選択する（図４のステップＳ２１）。選択された部屋の形状が自分の部屋の形状と異なる場合には異なる点やサイズ等を修正し、部屋の外枠を作成する（図４のステップＳ２２）。続いて、サンプルの中から家具やインテリア用品など現実の部屋にあるアイテムを選択する（図４のステップＳ２３）。選択されたアイテムの色、及び形状を変更し、３Ｄパーツを作成する（図４のステップＳ２４）。
【００１６】
ステップＳ２５においては、オリジナルパーツを作成するか否かが判定される。購入者がユーザ端末１０を操作してオリジナルパーツを作成することを指示した場合、オリジナルパーツを作成することが指示されたと判定され、ステップＳ２６に進む。一方、購入者がユーザ端末１０を操作してオリジナルパーツを作成しないことを指示した場合、オリジナルパーツを作成しないことが指示されたと判定され、ステップＳ２８に進む。
【００１７】
購入者によってオリジナルパーツを作成することが指示された判定された場合は、購入者が撮影した家具、インテリア用品などの部屋にあるアイテムの画像データがユーザ端末１０に保存される（図４のステップＳ２６）。次に、撮影された画像データが、仮想ルーム作成ソフトウェアの３Ｄパーツ作成機能によって３Ｄパーツに変換される（図４のステップＳ２７）。作成された３Ｄパーツは、図４のステップＳ２２において作成された部屋に配置される（図４のステップＳ２８）。完成した仮想ルームはユーザ端末１０に保存される（図４のステップＳ２９）。このようにして、仮想ルームが作成される。
【００１８】
ステップＳ６においては、購入者により、ステップＳ５において作成された仮想ルームをサーバ装置２０に登録するか否かが判断される。作成した仮想ルームを販売者側のサーバ装置２０に登録する場合は、サーバ装置２０にインターネット４０を介して仮想ルームのデータを送信する（図３のステップＳ７）。サーバ装置２０は、受信した仮想ルームデータを登録する（図３のステップＳ８）。一方、作成した仮想ルームを販売者側のサーバ装置２０に登録しない場合、ステップＳ９に進む。
【００１９】
ユーザ端末１０を利用して、商品の外観およびサイズ等を確認する場合、購入者は、購入したい商品がある場合、ユーザ端末１０からインターネット４０経由でサーバ装置２０に対して商品データのダウンロード要求を出す（図３のステップＳ９）。それに応答し、サーバ装置２０は、３Ｄパーツ化された商品のデータ（商品データ）をユーザ端末１０に送信する（図３のステップＳ１０）。購入者は、受信した商品データに対応する３Ｄパーツ化された商品をユーザ端末１０に保存してある仮想ルームに設置し、購入者は、仮想ルーム内に設置された商品の概観、サイズなどを確認する（図３のステップＳ１１）。
【００２０】
一方、販売店端末３０を利用して、商品の外観およびサイズ等を確認する場合、購入者が販売店に行ったときに、販売店端末３０を利用し、インターネット４０を介してサーバ装置２０に対して自分が登録した仮想ルームのダウンロード要求を出す（図３のステップＳ１２）。これに応じて、サーバ装置２０は購入者の仮想ルームデータをインターネット４０を介して販売店端末３０に送信する（図３のステップＳ１３）。購入者は、購入したい商品がある場合、販売店端末３０から商品データのダウンロード要求を出す（図３のステップＳ１４）。それに応答し、サーバ装置２０は、３Ｄパーツ化された商品のデータ（商品データ）を販売店端末３０に送信する（図３のステップＳ１５）。受信した商品データに対応する３Ｄパーツ化された商品を販売店端末３０に保存してある仮想ルームに設置し、購入者は、販売店端末３０の画面に表示された仮想ルーム内に設置された商品の概観、サイズなどを確認する（図３のステップＳ１６）。
【００２１】
以上説明したように、本実施の形態においては、以下のような効果を奏する。第１の効果は、購入者の購入したい商品の概観、およびサイズなどが購入者の居住空間に合っているかどうかを確認できることである。その理由は、仮想的に、購入したい商品を購入者の住居に配置するためである。第２の効果は、購入者が販売店の店員から購入者の居住空間にあった商品に関する情報提供を受けられることである。その理由は、販売店において、購入者の居住空間の間取り、家具等の色合いや配置状況を確認することができるためである。
【００２２】
次に、本発明の第２の実施の形態について、図５および図６のフローチャートを参照して詳細に説明する。図５に示すように、第２の実施の形態は、購入者がユーザ端末１０を用いてサーバ装置２０に仮想ルームの登録を行った後、希望する製品の種別、色、サイズ、および値段などの要望をサーバ装置２０に登録し、販売者側が仮想ルームに合った商品を選別するようにした点で第１の実施の形態とは異なっている。
【００２３】
この第２の実施の形態では、サーバ装置２０は、購入者の希望する製品種別等の要望を受け取った場合、商品リストの中から該当する商品候補を挙げ、さらに、購入者の作成した仮想ルームに合った商品を選別する機能を有する。そして、その商品の識別番号等をメール等により、購入者のユーザ端末１０へ送信する機能を有する。また、ユーザ端末１０は、サーバ装置２０から送信されたメール等を受け取る機能を有する。
【００２４】
次に、図６のフローチャートを参照して、第２の実施の形態の動作について説明する。まず、ユーザ端末１０においてホームページにアクセスし、仮想ルーム作成ソフトウェアがダウンロードされ（図６のステップＳ３１）、仮想ルーム作成ソフトウェアを用いて仮想ルームが作成され、作成された仮想ルームのデータがインターネット４０を介してサーバ装置２０に送信され（図６のステップＳ３２）、送信された仮想ルームがサーバ装置２０に登録される（図６のステップＳ３３）までは第１の実施の形態の場合（図３のフローチャートのステップＳ２乃至Ｓ８）と同一である。
【００２５】
次に、購入者は、ユーザ端末１０から希望する製品種別（例えば、テーブル、椅子など）、色、サイズ、値段などの要望を出す（図６のステップＳ３４）。この要望に応じて、サーバ装置２０は商品リストから該当する商品の候補を挙げる（図６のステップＳ３５）。その候補の中から、ユーザの登録した仮想ルームに合った商品を選別する（図６のステップＳ３６）。
【００２６】
次に、選別された商品について、商品番号などがメール等によりユーザ端末１０へ送信される（図６のステップＳ３７）。購入者は、ホームページへアクセスし（図６のステップＳ３８）、受け取った商品番号に基づいて、サーバ装置２０に対して、サーバ装置２０が選別した商品の３Ｄパーツ化された商品データのダウンロード要求を出す（図６のステップＳ３９）。これに応じて、サーバ装置２０は、ダウンロード要求された商品の３Ｄパーツ化された商品データをユーザ端末１０に送信する（図６のステップＳ４０）。
【００２７】
次に、ユーザ端末１０は、ユーザ端末１０において受信された３Ｄパーツ化された商品データを、ユーザ端末１０に保存してある仮想ルームに設置し、購入者は、画面に表示された仮想ルーム内の商品の概観、サイズなどを確認する（図６のステップＳ４１）。
【００２８】
以上のように、第２の実施の形態では、購入者は希望する製品種別等をサーバ装置２０へ登録しておくと、販売者側で商品の選別をしてもらえるので、該当する商品番号等をメール等で知ることができる。従って、お店に行かずに、自分の部屋に合った商品情報を得ることが可能となる。
【００２９】
なお、上記実施の形態の構成及び動作は例であって、本発明の趣旨を逸脱しない範囲で適宜変更することができることは言うまでもない。
【００３０】
【発明の効果】
以上の如く、本発明に係る商品確認支援システムによれば、サーバは、商品を立体画像で表示するための立体画像表示データを記憶し、端末からネットワークを介して送信されてきた仮想ルームを記憶し、仮想ルームを作成するためのソフトウェアを記憶し、端末からの要求に応じて、立体画像表示データ、およびソフトウェアを端末にネットワークを介して提供する。端末は、サーバからダウンロードしたソフトウェアによって作成された仮想ルームをネットワークを介してサーバに送信し、サーバに対して商品の立体画像表示データの提供を要求し、サーバからネットワークを介して提供された立体画像表示データに対応する商品を仮想ルーム内に仮想的に設置した画像を表示するようにしたので、仮想ルームに商品が合っているかどうかを確認することができる。
また、サーバは、商品を立体画像で表示するための立体画像表示データを記憶し、端末からネットワークを介して送信されてきた仮想ルームを記憶し、仮想ルームを作成するためのソフトウェアを記憶し、端末から送信されてきた条件に該当する商品候補を検索し、商品候補の中から仮想ルームに適合するものを選別し、選別された商品の識別情報を端末にネットワークを介して送信し、端末からの要求に応じて、立体画像表示データ、およびソフトウェアを端末にネットワークを介して提供する。また、端末は、サーバからダウンロードしたソフトウェアによって作成された仮想ルームをネットワークを介してサーバに送信し、サーバから送信されてきた識別情報に対応する商品の立体画像表示データの提供をサーバに要求し、サーバからネットワークを介して提供された立体画像表示データに対応する商品を仮想ルーム内に仮想的に設置した画像を表示するようにしたので、販売者側が購入者側に対して仮想ルームに合った商品を提案することができ、購入者側は端末上でその商品を確認することができる。
【図面の簡単な説明】
【図１】本発明の商品外観およびサイズ確認システムの概念図である。
【図２】本発明の第１の実施の形態の構成例を示す図である。
【図３】第１の実施の形態の動作を説明するためのフローチャートである。
【図４】仮想ルーム作成手順を説明するためのフローチャートである。
【図５】本発明の第２の実施の形態の概念図である。
【図６】第２の実施の形態の動作を説明するためのフローチャートである。
【符号の説明】
１０  ユーザ端末
２０  サーバ装置
３０  販売店端末
４０  インターネット
【図１】
2004178257.tif 000003
【図２】
2004178257.tif 000004
【図３】
2004178257.tif 000005
【図４】
2004178257.tif 000006
【図５】
2004178257.tif 000007
【図６】
2004178257.tif 000008